(57)【要約】【課題】該絶縁装填層がその厚みの厚薄に係わりなく、柔軟性がよく、任意に湾曲でき、全体的な使用に便利であり、伝送線を使用する電子装置を更に薄型化する折り曲げしやすく良好な特性インピーダンスを具えた伝送線を提供する。【解決手段】折り曲げしやすく良好な特性インピーダンスを具えた伝送線は、少なくとも一フレキシブルフラットケーブル、一絶縁装填層及び一金属装填層を含む。フレキシブルフラットケーブル表面に絶縁装填層と金属装填層を順に設置すること、及び絶縁装填層は厚みが異なることによってフレキシブルフラットケーブルの特性インピーダンスを変え、信号伝送を安定させる。特に該絶縁装填層は織物材質、発泡材もしくは網材であるため、その厚みの大きさに係わりなく、柔軟性がよく、撓み特性を具え、全体の便利性を高め、伝送線を使用する電子装置を更に薄型化する。【選択図】図３
0003146586.tif 000002
【実用新案登録請求の範囲】
【請求項１】
折り曲げしやすく良好な特性インピーダンスを具えた伝送線において、少なくとも、
一導電層及び導電層の両側に一樹脂膜層をそれぞれ設置する一フレキシブルフラットケーブルと、
織物材質もしくは発泡材もしくは網材から製造され、フレキシブルフラットケーブル一側の樹脂膜層表面に設置する一絶縁装填層と、
絶縁装填層に設置してフレキシブルフラットケーブルの別一側に対応する一金属装填層を含むことを特徴とする折り曲げしやすく良好な特性インピーダンスを具えた伝送線。
【請求項２】
前記折り曲げしやすく良好な特性インピーダンスを具えた伝送線は、更に二プリント回路板を含み、フレキシブルフラットケーブル両端に連接し、また各プリント回路板一側には複数の回路を設置し、各回路は導電層と相互に連接することを特徴とする請求項１記載の折り曲げしやすく良好な特性インピーダンスを具えた伝送線。
【請求項３】
前記プリント回路板は、各回路に相対する一側に各回路と連接する連接装置を設置することを特徴とする請求項２記載の折り曲げしやすく良好な特性インピーダンスを具えた伝送線。
【請求項４】
前記絶縁装填層及び該金属装填層は、その間及び/もしくはフレキシブルフラットケーブル一側の樹脂膜層と該絶縁装填層の間に隔絶層を設置し、該隔絶層はテレフタル酸ポリエチレン(PET) もしくはポリイミド（polyimide）材とすることを特徴とする請求項１記載の折り曲げしやすく良好な特性インピーダンスを具えた伝送線。
【請求項５】
前記フレキシブルフラットケーブルは、一側に絶縁装填層と金属装填層を設置し、別一側にもまた一絶縁装填層と金属装填層を設置することを特徴とする請求項１記載の折り曲げしやすく良好な特性インピーダンスを具えた伝送線。
【考案の詳細な説明】
【技術分野】
【０００１】
本考案は、一種の伝送線に関するもので、特に良好な特性インピーダンス(Z0)及び任意に折り曲げる特性を具えた伝送線に係わる。
【背景技術】
【０００２】
図１に示すのは、LVDS信号伝送システムを例としている。液晶モニターとシステムサーバーの間の信号通信量は非常に膨大で且つ周波数も非常も高いため、現在、液晶モニターインターフェイス６とシステムメインボードインターフェイス７の間にアーキテクチャーしている高周波信号伝送システムは、高超速(1.4Gb/s)、低電気消費及び低電磁輻射特性を具えた低電圧差分信号レシーバー(LVDS，Low Voltage Differential Signal)８で液晶モニターインターフェイス６の信号伝送インターフェイスとしている。更に信号伝送線(Transmission Line)９の連接によってシステムメインボードインターフェイス７上の信号とインターフェイスを伝送する。即ちシステムメインボードインターフェイス７上のコネクターコンセント７１と共に信号を構成して連接し、公知のLVDS信号伝送システムを共同で構成する。
【０００３】
しかしながら、ANSI-YUA-EIA-644-I995定義に基づくLVDSインターフェイス標準であるこの種のLVDS信号伝送システムが使用する信号伝送線９は、特性インピーダンス (Z0)が100Ω±5％の信号伝送線９を使用しなければならず、それによってやっと液晶顯示インターフェイス６とシステムメインボードインターフェイス７の回路の電気抵抗(Z)と相互に匹敵することができる。同時にこの種のLVDS信号伝送システムがこの条件で満足するには電磁干渉(EMI)を下げ、ノイズ(noise)干渉を減らし、液晶モニターインターフェイス(もしくはLVDSインターフェイスと略称する)６とシステムメインボードインターフェイス７の間の信号伝送を正確に実行するか、もしくは誤動作の発生を防止することができる。さもなければ液晶モニターインターフェイス６とシステムメインボードインターフェイス７の間の信号伝送は，信号反射が発生し、またノイズ(noise)干渉が発生し、信号が失われたり、変形したり、紛失したりする。
【０００４】
また公知の信号伝送線９構造は、図２Ａに示すとおり、フレキシブルフラットケーブル９１一表面上に比較的厚めの一絶縁装填層９２及び一金属装填層９３の順で貼り付けるか、もしくは図２Ｂに示すとおり、フレキシブルフラットケーブル９１本体の樹脂膜層９１１の厚みを厚くして、フレキシブルフラットケーブル９１本体上に絶縁の厚みを増やすことにより、条件に合った特性インピーダンス(Z0)を発生させる。しかしながら、樹脂膜層９１１本体を厚くするか、もしくは絶縁装填層９２を増設することは、テレフタル酸ポリエチレン(PET)材質の厚みを増やし、且つ一定の厚みにする必要があり、そうしてやっと特性インピーダンス(Z0)の条件に符合するのだが、相対して硬度が上がり、そのためフレキシブルフラットケーブル９１は、特性インピーダンス(Z0)に符合した後、撓み性が悪くなり、信号伝送線９全体が運用の際、自在でなくなる。
【考案の開示】
【考案が解決しようとする課題】
【０００５】
解決しようとする問題点は、特性インピーダンス(Z0)の条件に符合させることで、相対して硬度が上がり、そのためフレキシブルフラットケーブルは、撓み性が悪くなる点である。
【課題を解決するための手段】
【０００６】
本考案は、少なくとも一フレキシブルフラットケーブル、一絶縁装填層及び一金属装填層を含む。フレキシブルフラットケーブル表面に絶縁装填層と金属装填層を順に設置すること、及び絶縁装填層は厚みが異なることによってフレキシブルフラットケーブルの特性インピーダンスを変え、信号伝送を安定させる。特に該絶縁装填層は織物材質、発泡材もしくは網材であるため、その厚みの大きさに係わりなく、柔軟性がよく、撓み特性を具え、全体の便利性を高め、伝送線を使用する電子装置を更に薄型化することを最も主要な特徴とする。
【考案の効果】
【０００７】
本考案の折り曲げしやすく良好な特性インピーダンスを具えた伝送線は、該絶縁装填層が織物材質、発泡材もしくは網材であるため、その厚みの厚薄に係わりなく、柔軟性がよく、任意に湾曲でき、全体的な使用に便利であり、伝送線を使用する電子装置を更に薄型化するという利点がある。
【考案を実施するための最良の形態】
【０００８】
一種の電子線、光学線、シリアルＡＴＡ(Serial
Advanced Technology Attachment，以下SATAと略称する)を形成し、プリント回路板をLVDS信号伝送システム中に応用することで良好な特性インピーダンス(Z0)を具えた湾曲しやすく、且つ良好な特性インピーダンス(Z0)を具えた伝送線を提供することを本考案の主な目的とする。
【０００９】
一種の柔軟性及び任意に湾曲する特性を具えた折り曲げしやすく良好な特性インピーダンス(Z0)を具えた伝送線を提供することを本考案の別の主な目的とする。
【００１０】
上述の目的を達成するため、本考案の折り曲げしやすく良好な特性インピーダンス(Z0)を具えた伝送線は、少なくとも一フレキシブルフラットケーブル(FFC) 、一絶縁装填層及び一金属装填層を含む。フレキシブルフラットケーブル表面に絶縁装填層と金属装填層の順に設置すること、及び絶縁装填層の厚みを変えることによってフレキシブルフラットケーブルの特性インピーダンス(Z0)を変え、信号を安定的に伝送する。特に該絶縁装填層は織物材質、発泡材もしくは網材であるため、その厚みの厚薄に係わりなく、柔軟性がよく、任意に湾曲でき、全体的な使用に便利であり、伝送線を使用する電子装置を更に薄型化する。
【００１１】
（実施例１）
本考案の特徴を図式と共に実施例を挙げて説明する。
本考案「折り曲げしやすく良好な特性インピーダンスを具えた伝送線」は、図３及び図４に示すとおり、少なくとも一フレキシブルフラットケーブル(FFC)１、一絶縁装填層２及び一金属装填層３を含む。そのうち、
【００１２】
該フレキシブルフラットケーブル１は一導電層１１を具え、一導電層１１は複数の筋が平行に配列した銅線１１１を含む。更に導電層１１の両側にはそれぞれ一樹脂膜層１２を設置し、該樹脂膜層１２はテレフタル酸ポリエチレン(PET)もしくはエポキシ（epoxy）材質で，両樹脂膜層１２は圧合方式で導電層１１を中間で覆って一体にする。この製造工程は簡単で、且つ製造コストも低く、柔軟性、耐燃性、耐冷熱性の特性を具える。
【００１３】
該絶縁装填層２及び該金属装填層３は、フレキシブルフラットケーブル１一側の樹脂膜層１２表面に順に設置してフレキシブルフラットケーブル１本体上に絶縁の厚みを増やし良好な特性インピーダンス(Z0)を具えた伝送線（例として特性インピーダンス(Z0)が100Ω±5％の伝送線とする）を形成し、該絶縁装填層２の厚みを変えることによって異なる特性インピーダンス(Z0)の要求を達成する。
【００１４】
そのうち，本考案の良好な特性インピーダンス(Z0)を具えた伝送線において、絶縁装填層２は絶縁特性を具えた織物材質、発泡材もしくは網材で、例としてナイロン布、テトロン布、ポリエステルもしくは不織布等織物材質，もしくは例としてポリウレタン(Polyurethane,PU)もしくはポリエチレン(Polyethylene,PE)等発泡材、またもしくは例として塑性網材等で、織物材質、発泡材もしくは網材本体は高柔軟性及び撓み自在の特性を具え、且つ厚みに係わりなく該特性を保つ。そのため、織物材質、発泡材もしくは網材で作った絶縁装填層２で良好な特性インピーダンス(Z0)を具えた伝送線を運用する時、図５に示すように、電子装置（図示せず）の内部構造に基づいて規格し、自在な撓み湾曲が該電子装置の要求に符合し、該伝送線を運用した電子装置を更に薄型化する目的を達成する。
【００１５】
又，上述の実施例の該絶縁装填層２及び該金属装填層３は、フレキシブルフラットケーブル１上に一体成型するか、もしくは該絶縁装填層２及び該金属装填層３を貼り付け方式でフレキシブルフラットケーブル１上に設置する。
【００１６】
（実施例２）
他に、図６に示すとおり、該絶縁装填層２及び該金属装填層３の間に更にテレフタル酸ポリエチレン(PET)、 もしくはポリイミド（polyimide）材質の一隔絶層４を設置し、該隔絶層４によって該絶縁装填層２及び該金属装填層３の間を更に安定して接合し、良好な特性インピーダンス(Z0)要求に応える。
【００１７】
（実施例３，４，５，６）
図７に示すとおり、該フレキシブルフラットケーブル１一側の樹脂膜層１２と該絶縁装填層２の間にテレフタル酸ポリエチレン(PET) もしくはポリイミド（polyimide）材質の一隔絶層４を設置するか、もしくは図８に示すように該フレキシブルフラットケーブル１一側の樹脂膜層１２と該絶縁装填層２の間にテレフタル酸ポリエチレン(PET) もしくはポリイミド（polyimide）材質の一隔絶層４を設置し、別に該絶縁装填層２及び該金属装填層３の間にはテレフタル酸ポリエチレン(PET) もしくはポリイミド（polyimide）材質の一隔絶層４を設置する。当然、図９に示すように、直接該フレキシブルフラットケーブル１一側の樹脂膜層１２を厚くしてもよいし、もしくは図１０に示すように該フレキシブルフラットケーブル１一側に絶縁装填層２と金属装填層３を設置し別一側にも一絶縁装填層２と金属装填層３を設置することで、異なる特性インピーダンス(Z0)の要求に応える。
【産業上の利用可能性】
【００１８】
更に本考案の伝送線は、電子線、光学線、シリアルＡＴＡ(Serial Advanced Technology Attachment，以下SATAと略称する)であり、LVDS、USB、SATA、ODD、RJ11、RJ45、1394もしくはPCIの信号伝送システム内に応用してもよい。
【００１９】
勿論、フレキシブルフラットケーブル両端に更に二プリント回路板を設置し、また各プリント回路板一側には複数の回路を設置し、各回路は導電層と相互に連接する。更に各プリント回路板は各回路の一側に相対して各回路と連接する連接装置を設置してもよい。該連接装置はODD(Optical Disc Drive)、SATA(Serial ATA)、HDMI(High-Definition Multimedia Interface)、USB（Universal Serial Bus）もしくはD-sub伝送インターフェイスの連接ポート本体とする。
【００２０】
本考案の技術内容及び技術特徴は上述のとおりである。本項に習熟した者は、本考案に提示した各種本考案の精神から乖離しない入れ換え、修飾を実施する可能性がある。そのため、本考案の保護範囲は、実施例に提示したものに制限されず、各種の本考案から乖離しない入れ換え及び修飾はすべて本考案の請求範囲に含まれることとする。
【図面の簡単な説明】
【００２１】
【図１】公知の液晶モニターLCDインターフェイスとシステムメインボードインターフェイスの間のLVDS信号伝送システム指示図である。
【図２Ａ】公知の信号伝送線の構造指示図である。
【図２Ｂ】公知の信号伝送線の別の一構造指示図である。
【図３】本考案の第一実施例の構造分解指示図である。
【図４】本考案の第一実施例の構造断面図である。
【図５】本考案の第一実施例の使用状態指示図である。
【図６】本考案の第二実施例の構造断面図である。
【図７】本考案の第三実施例の構造断面図である。
【図８】本考案の第四実施例の構造断面図である。
【図９】本考案の第五実施例の構造断面図である。
【図１０】本考案の第六実施例の構造断面図である。
【符号の説明】
【００２２】
１        フレキシブルフラットケーブル
１１        導電層
１１１        銅線
１２        樹脂膜層
２        絶縁装填層
３        金属装填層
４        隔絶層
６        液晶モニターインターフェイス
７        システムメインボードインターフェイス
７１        コネクターコンセント
８        低電圧差分信号レシーバー
９        信号伝送線
９１        フレキシブルフラットケーブル
９１１        樹脂膜層
９２        絶縁装填層
９３        金属装填層
【図１】
0003146586.tif 000003
【図２Ａ】
0003146586.tif 000004
【図２Ｂ】
0003146586.tif 000005
【図３】
0003146586.tif 000006
【図４】
0003146586.tif 000007
【図５】
0003146586.tif 000008
【図６】
0003146586.tif 000009
【図７】
0003146586.tif 000010
【図８】
0003146586.tif 000011
【図９】
0003146586.tif 000012
【図１０】
0003146586.tif 000013